(57)【要約】【課題】  使い易い、箸使い練習具を提供する。【解決手段】  箸使い練習具１は、一対の箸片２、２からなり、それら箸片２、２のうちの、一方の箸片２ａは、相対的に重量が大きく、他方の箸片２ｂは、相対的に重量が小さい。そして、この箸使い練習具１にあっては、相対的に重量が大きい一方の箸片２ａを下側に位置する箸片２として使用し、相対的に重量が小さい他方の箸片２ｂを上側に位置する箸片２として使用する。【選択図】  図３
2011180542.tif 000002
【特許請求の範囲】
【請求項１】
一対の箸片からなり、それら箸片のうちの、一方の箸片は、相対的に重量が大きく、他方の箸片は、相対的に重量が小さいことを特徴とする、箸使い練習具。
【請求項２】
前記一対の箸片の長さは、互いに略同一であり、かつ、
前記一方の箸片は、相対的に太く、前記他方の箸片は、相対的に細いことを特徴とする、請求項１に記載の箸使い練習具。
【請求項３】
前記一対の箸片は、互いに同一の素材からなることを特徴とする、請求項２に記載の箸使い練習具。
【請求項４】
前記一方の箸片は、相対的に比重の大きい素材からなり、前記他方の箸片は、相対的に比重の小さい素材からなることを特徴とする、請求項１または２に記載の箸使い練習具。
【請求項５】
前記一対の箸片は、互いに略同一の形状および大きさであり、かつ、
前記一方の箸片は、相対的に比重の大きい素材からなり、前記他方の箸片は、相対的に比重の小さい素材からなることを特徴とする、請求項１に記載の箸使い練習具。
【発明の詳細な説明】
【技術分野】
【０００１】
この発明は、箸の正しい使い方を身に付けるための箸使い練習具に関する。
【背景技術】
【０００２】
箸を使用した食事においては、礼儀作法、美意識、機能性などの観点から、箸の使用者が箸を正しく使って食事を行うことが望まれている。ここで、箸の正しい使い方としては、一対の箸片の両方を動かすのではなく、下側に位置する箸片をしっかり固定した状態で、上側に位置する箸片だけを動かすことが知られている。
【０００３】
そこで、上述した箸の正しい使い方を身に付けるための箸使い練習具として、例えば、図８に示す練習用箸があった（特許文献１参照）。この練習用箸１０にあっては、上方箸１１ａと下方箸１１ｂとからなる一対の箸片１１、１１において、下方箸１１ｂに、所定間隔を有して一体的に形成される指案内部材１２、１２が設けられていた。そして、使用者は、親指と薬指とで指案内部材１２、１２を挟むようにして、それら親指と薬指とを指案内部材１２、１２の当接面１２ａ、１２ａに当接させることによって、下方箸１１ｂを不動状態に保持して、上方箸１１ａを操作することができた。
【先行技術文献】
【特許文献】
【０００４】
【特許文献１】特開平１０−２２８２３４号公報
【発明の概要】
【発明が解決しようとする課題】
【０００５】
しかしながら、上記の練習用箸１０にあっては、親指と薬指とで指案内部材１２、１２を挟むため、使用者の親指および薬指に、指案内部材１２、１２の当接面１２ａ、１２ａとの当接による負荷がかかり、使い難い面もあった。
【０００６】
この発明は、上記した従来の問題点を解決するためになされたものであり、その目的とするところは、使い易い、箸使い練習具を提供することにある。
【課題を解決するための手段】
【０００７】
この発明に係る箸使い練習具は、前記目的を達成するために、次の構成からなる。すなわち、
請求項１に記載の発明に係る箸使い練習具は、一対の箸片からなり、それら箸片のうちの、一方の箸片は、相対的に重量が大きく、他方の箸片は、相対的に重量が小さい。
【０００８】
この箸使い練習具にあっては、前記一方の箸片を下側に位置する箸片として使用し、前記他方の箸片を上側に位置する箸片として使用すると、下側に位置する箸片は、相対的に重量が大きいため動かし難くなり、また、上側に位置する箸片は、相対的に重量が小さいため動かし易くなる。したがって、この箸使い練習具は、下側に位置する箸片を固定した状態で、上側に位置する箸片だけを動かす操作を容易に行うことができて、使い易い。
【０００９】
また、請求項２に記載の発明に係る箸使い練習具のように、請求項１に記載の箸使い練習具において、前記一対の箸片の長さは、互いに略同一であり、かつ、前記一方の箸片は、相対的に太く、前記他方の箸片は、相対的に細いのが好ましい。
【００１０】
また、請求項３に記載の発明に係る箸使い練習具のように、請求項２に記載の箸使い練習具において、前記一対の箸片は、互いに同一の素材からなってもよい。この箸使い練習具にあっては、一対の箸片は、互いに同一の素材からなり、その長さも互いに略同一であるが、一方の箸片が相対的に太く、他方の箸片が相対的に細いことによって、一方の箸片は相対的に重量が大きく、また、他方の箸片は相対的に重量が小さくなっている。そして、このように一対の箸片が互いに同一の素材からなることによって、互いに異なる素材からなる場合に比して、製造の手間を軽減することができる。
【００１１】
また、請求項４に記載の発明に係る箸使い練習具のように、請求項１または２に記載の箸使い練習具において、前記一方の箸片は、相対的に比重の大きい素材からなり、前記他方の箸片は、相対的に比重の小さい素材からなってもよい。
【００１２】
また、請求項５に記載の発明に係る箸使い練習具のように、請求項１に記載の箸使い練習具において、前記一対の箸片は、互いに略同一の形状および大きさであり、かつ、前記一方の箸片は、相対的に比重の大きい素材からなり、前記他方の箸片は、相対的に比重の小さい素材からなってもよい。この箸使い練習具にあっては、一対の箸片は、互いに略同一の形状および大きさであるが、一方の箸片が相対的に比重の大きい素材からなり、他方の箸片が相対的に比重の小さい素材からなることによって、一方の箸片は相対的に重量が大きく、また、他方の箸片は相対的に重量が小さくなっている。そして、このように、一対の箸片が互いに略同一の形状および大きさであることによって、互いに異なる形状および大きさである場合に比して、使用者に違和感を与え難くなる。
【発明の効果】
【００１３】
この発明によれば、箸使い練習具は、一対の箸片からなり、それら箸片のうちの、一方の箸片は、相対的に重量が大きく、他方の箸片は、相対的に重量が小さいため、相対的に重量が大きい一方の箸片を、下側に位置する箸片として使用し、相対的に重量が小さい他方の箸片を、上側に位置する箸片として使用することで、下側に位置する箸片を固定した状態で、上側に位置する箸片だけを動かす操作を容易に行うことができて、使い易い。
【図面の簡単な説明】
【００１４】
【図１】この発明の第１の実施の形態の正面図である。
【図２】同じく、他方の箸片を保持した状態を示す図である。
【図３】同じく、一対の箸片を保持した状態を示す図である。
【図４】同じく、図３に示す状態から他方の箸片を動かした状態を示す図である。
【図５】この発明の第２の実施の形態の正面図である。
【図６】この発明の第３の実施の形態の正面図である。
【図７】この発明の第４の実施の形態の正面図である。
【図８】従来の練習用箸を示す図である。
【発明を実施するための形態】
【００１５】
以下、この発明に係る箸使い練習具を実施するための形態を図面に基づいて説明する。
【００１６】
図１〜図４は、本発明の第１の実施の形態を示す。図中符号１は、箸使い練習具である。
【００１７】
この箸使い練習具１は、一対の箸片２、２からなり、それら箸片２、２のうちの、一方の箸片２ａは、相対的に重量が大きく、他方の箸片２ｂは、相対的に重量が小さい。また、一対の箸片２、２（詳細には、一方の箸片２ａおよび他方の箸片２ｂ）の長さは、互いに略同一であり、かつ、一方の箸片２ａは、相対的に太く、他方の箸片２ｂは、相対的に細い。
【００１８】
具体的には、一対の箸片２、２（詳細には、一方の箸片２ａおよび他方の箸片２ｂ）は、箸先に向かうに連れて徐々に細くなるような棒状体からなる。また、一対の箸片２、２（詳細には、一方の箸片２ａおよび他方の箸片２ｂ）は、その断面形状が、箸先側では略円形状であり、箸頭に向かうに連れて徐々に矩形状（詳細には、正方形状）に近づくように、形成されている。
【００１９】
また、図示実施の形態においては、一対の箸片２、２（詳細には、一方の箸片２ａおよび他方の箸片２ｂ）は、互いに同一の素材（詳細には、木材）からなっている。すなわち、一対の箸片２、２（詳細には、一方の箸片２ａおよび他方の箸片２ｂ）は、互いに同一の素材（詳細には、木材）からなり、その長さも互いに略同一であるが、一方の箸片２ａが他方の箸片２ｂに対して相対的に太く、他方の箸片２ｂが一方の箸片２ａに対して相対的に細いことによって、一方の箸片２ａは、他方の箸片２ｂに対して相対的に重量が大きく、また、他方の箸片２ｂは、一方の箸片２ａに対して相対的に重量が小さくなっている。なお、一対の箸片２、２（詳細には、一方の箸片２ａおよび他方の箸片２ｂ）の素材としては、木材の他に、例えば、竹材、合成樹脂素材、紙と合成樹脂素材との混合材、あるいは金属素材等の各種の素材が挙げられる（後述する第２〜第４の実施の形態についても同様である）。
【００２０】
ここで、この箸使い練習具１の使用方法について説明する。この箸使い練習具１にあっては、一方の箸片２ａが下側に位置し、他方の箸片２ｂが上側に位置するようにして、それら一方の箸片２ａおよび他方の箸片２ｂを保持する（図３参照）。すなわち、相対的に重量が大きい一方の箸片２ａを下側に位置する箸片２として使用し、相対的に重量が小さい他方の箸片２ｂを上側に位置する箸片２として使用する。
【００２１】
詳細には、まず、図２に示すように、相対的に重量が小さい他方の箸片２ｂを、例えば、鉛筆を持つ場合と同じようにして保持する。具体的には、他方の箸片２ｂの箸頭寄り部分を、親指、人差し指および中指の３本の指で挟むとともに、他方の箸片２ｂのさらに箸頭に寄った部分を、人差し指の側方に宛がうようにして、他方の箸片２ｂを保持する。次に、図３に示すように、相対的に重量が大きい一方の箸片２ａを、親指と薬指との間を通して差し入れるようにして保持する。具体的には、一方の箸片２ａの箸頭寄り部分を、中指と薬指とで挟むとともに、一方の箸片２ａのさらに箸頭に寄った部分を、親指と人差し指との股部分に宛がうようにして、一方の箸片２ａを保持する。そして、この状態で、一方の箸片２ａを固定したまま、親指を支点として、人差し指と中指とを上下に揺動するようにして、他方の箸片２ｂの箸先を上下に動かす（図３および図４参照）。
【００２２】
次に、以上の構成からなる箸使い練習具１の作用効果について説明する。この箸使い練習具１にあっては、一方の箸片２ａを下側に位置する箸片２として使用し、他方の箸片２ｂを上側に位置する箸片２として使用すると、下側に位置する箸片２（一方の箸片２ａ）は、相対的に重量が大きいため動かし難くなり、また、上側に位置する箸片２（他方の箸片２ｂ）は、相対的に重量が小さいため動かし易くなる。したがって、この箸使い練習具１は、下側に位置する箸片２（一方の箸片２ａ）を固定した状態で、上側に位置する箸片２（他方の箸片２ｂ）だけを動かす操作を容易に行うことができて、使い易い。
【００２３】
また、一対の箸片２、２（詳細には、一方の箸片２ａおよび他方の箸片２ｂ）が互いに同一の素材からなることによって、互いに異なる素材からなる場合に比して、製造の手間を軽減することができる。
【００２４】
なお、本発明は、上述した実施の形態に限定されるわけではなく、その他種々の変更が可能である。例えば、一対の箸片２、２（詳細には、一方の箸片２ａおよび他方の箸片２ｂ）の長さは、互いに略同一でなくてもよく、例えば、一方の箸片２ａが他方の箸片２ｂより長くてもよい。また、一対の箸片２、２（詳細には、一方の箸片２ａおよび他方の箸片２ｂ）は、箸先に向かうに連れて徐々に細くなるように形成されなくてもよく、例えば、その全長に渡って太さが略一定となるように形成されてもよい。
【００２５】
また、一対の箸片２、２（詳細には、一方の箸片２ａおよび他方の箸片２ｂ）は、互いに同一の素材からならなくてもよく、例えば、図５に示す第２の実施の形態のように、一方の箸片２ａは、他方の箸片２ｂに用いる素材に対して相対的に比重の大きい素材からなり、他方の箸片２ｂは、一方の箸片２ａに用いる素材に対して相対的に比重の小さい素材からなってもよい。なお、一対の箸片２、２（詳細には、一方の箸片２ａおよび他方の箸片２ｂ）に用いる素材の組み合わせについては、必要に応じて適宜選択することができるが、その一例として、一方の箸片２ａが、木材からなり、他方の箸片２ｂが、その木材より比重の小さい合成樹脂素材からなるようにしてもよい。また、他の一例として、一方の箸片２ａおよび他方の箸片２ｂが互いに異なる種類の木材または合成樹脂素材からなるように、すなわち、一方の箸片２ａが、相対的に比重の大きい種類の木材からなり、他方の箸片２ｂが、相対的に比重の小さい種類の木材からなるように、または、一方の箸片２ａが、相対的に比重の大きい種類の合成樹脂素材からなり、他方の箸片２ｂが、相対的に比重の小さい種類の合成樹脂素材からなるようにしてもよい。
【００２６】
また、一方の箸片２ａが、相対的に比重の大きい素材からなり、他方の箸片２ｂが、相対的に比重の小さい素材からなる場合にあっては、箸使い練習具１は、必ずしも、一方の箸片２ａが、相対的に太く、他方の箸片２ｂが、相対的に細い構成でなくてもよく、例えば、図６に示す第３の実施の形態のように、一対の箸片２、２（詳細には、一方の箸片２ａおよび他方の箸片２ｂ）が、互いに略同一の形状および大きさであるような構成であってもよい。この箸使い練習具１にあっては、一対の箸片２、２（詳細には、一方の箸片２ａおよび他方の箸片２ｂ）は、互いに略同一の形状および大きさであるが、一方の箸片２ａは、他方の箸片２ｂに用いる素材に対して相対的に比重の大きい素材からなり、他方の箸片２ｂは、一方の箸片２ａに用いる素材に対して相対的に比重の小さい素材からなることによって、一方の箸片２ａは、他方の箸片２ｂに対して相対的に重量が大きく、他方の箸片２ｂは、一方の箸片２ａに対して相対的に重量が小さくなっている。そして、このように、一対の箸片２、２（詳細には、一方の箸片２ａおよび他方の箸片２ｂ）が互いに略同一の形状および大きさであることによって、互いに異なる形状および大きさである場合に比して、使用者に違和感を与え難くなる。
【００２７】
また、図７に示す第４の実施の形態のように、一対の箸片２、２（詳細には、一方の箸片２ａおよび他方の箸片２ｂ）の表面に、その表面を荒削りするようにして凹凸を形成してもよい。こうすることで、一対の箸片２、２（詳細には、一方の箸片２ａおよび他方の箸片２ｂ）は、滑り難くなり、持ち易い。
【符号の説明】
【００２８】
１    箸使い練習具
２    箸片
２ａ  一方の箸片
２ｂ  他方の箸片
【図１】
2011180542.tif 000003
【図２】
2011180542.tif 000004
【図３】
2011180542.tif 000005
【図４】
2011180542.tif 000006
【図５】
2011180542.tif 000007
【図６】
2011180542.tif 000008
【図７】
2011180542.tif 000009
【図８】
2011180542.tif 000010